(57)【要約】【課題】下水処理施設の汚泥掻き寄せ機などに用いられる、樹脂製で一体成形されるリンク本体を連ねて構成されるチェンにおいて、溜まった水が蒸発して酸性物質が濃縮され強酸化し、樹脂製であるリンク本体を侵食し破断することを防止すること。【解決手段】樹脂製で一体成形されアタッチ取付面を有するリンク本体を重ねて構成されるチェンにおいて、アタッチ取付面を凸形状にした。【選択図】図１
2015174008.tif 000002
【特許請求の範囲】
【請求項１】
樹脂製で一体成形されアタッチ取付面を有するリンク本体を連ねて構成されるチェンにおいて、前記アタッチ取付面を凸形状にしたことを特徴とするチェン。
【発明の詳細な説明】
【技術分野】
【０００１】
本発明は、下水処理施設の汚泥掻き寄せ機などに用いられる、樹脂製のチェンに関するものである。
【背景技術】
【０００２】
汚泥掻き寄せ機は、下水処理施設の沈澱池において、チェンのアタッチメントに取り付けられるフライト（汚泥掻き寄せ板）を、チェンを駆動することにより動かし、汚泥を掻き寄せるものである。
【０００３】
チェンは、リンク本体を相当数連結ピンで連結し、つなぎ合わせて組み立てられる。外側に配置されるリンクプレートと内側に配置されるリンクプレートを別部材で構成して組み立てる形式のチェンもあるが、本発明は、樹脂製の同一形状のリンクをつなぎ合わせるタイプのチェンについてのものである。
【０００４】
リンク本体８０は、図４に示すようなものである。リンク本体８０は、その長さ方向一方の端部に、ピン挿入孔８６を有するバレル部８２があり、他方の端部には、ピン挿入孔８８を有する一対のピンリンク部８４がある。バレル部８２の幅は、一対のピンリンク部８４の間の空隙と略同一に構成される。リンク本体８０がこのように構成されることにより、リンク本体８０のバレル部８２を他のリンク本体８０の一対のピンリンク部８４間の空隙に挟み連結ピンで連結することが可能となる。
また、リンク本体８０は、図４（ｂ）に示すように、スプロケットに係合する部位である、ノッチ部９０を有する。
そして、また、リンク本体８０は、アタッチメントを取り付けるアタッチメント取付用孔９２をアタッチ取付面９６に有し、リンク本体８０の上面（図４（ａ）が表す面）のアタッチメント取付用孔９２のリンク本体８０の幅方向の両側には、窪み部９４が設けられていた。
【０００５】
以上のような、リンク本体８０を相当数連結することにより、汚泥掻き寄せ機に用いられるチェンは構成されていた。
【発明の概要】
【発明が解決しようとする課題】
【０００６】
汚泥掻き寄せ機は、頻繁に運転する必要がないため、場合によっては数週間稼働させないことがある。
【０００７】
従来のチェンは、リンク本体が水面上に来た時に上向きになる窪み部を有するため、汚泥掻き寄せ機を稼働させてない時は、その窪み部に水が溜まったまま空気中にさらされることとなっていた。
そして、その窪み部に溜まった水が汚泥掻き寄せ機が稼働しない期間の間に蒸発し、窪み部に溜まった水が有していた酸性物質が濃縮され強酸化し、樹脂製であるリンク本体を侵食し破断することがあった。
【０００８】
そこで、本発明は、上記の問題点に鑑みて、リンク本体に水が溜まることを防止し、酸性物質によるリンク本体の侵食、破断を防止することを課題とするものである。
【課題を解決するための手段】
【０００９】
本発明は上記課題を解決するためになされたものであり、樹脂製で一体成形されアタッチ取付面を有するリンク本体を連ねて構成されるチェンにおいて、前記アタッチ取付面を凸形状にしたことを特徴とするものである。
【発明の効果】
【００１０】
このような本発明によれば、樹脂製で一体成形されアタッチ取付面を有するリンク本体を連ねて構成されるチェンにおいて、前記アタッチ取付面を凸形状にしたことにより、リンク本体に水が溜まることを防止し、酸性物質によるリンク本体の侵食、破断を防止することができる。
【図面の簡単な説明】
【００１１】
【図１】本発明の第一の実施の形態に係るチェンのリンク本体の全体図であり、（ａ）が正面図、（ｂ）が側面図である。（ｃ）は、（ａ）のＡＡ線断面図である。
【図２】本発明の第二の実施の形態に係るチェンのリンク本体の全体図であり、（ａ）が正面図、（ｂ）が側面図である。（ｃ）は、（ａ）のＢＢ線断面図である。
【図３】本発明の第三の実施の形態に係るチェンのリンク本体の全体図であり、（ａ）が正面図、（ｂ）が側面図である。
【図４】従来のチェンのリンク本体の全体図であり、（ａ）が正面図、（ｂ）が側面図である。
【発明を実施するための最良の形態】
【００１２】
以下、本発明を実施するための最良の形態について、図面に基づいて具体的に説明する。チェン本体の形状のうち、従来のチェン本体とほとんど変わらない部分は説明を省略する。
【００１３】
図１は、本発明の第一の実施の形態に係るリンク本体１０の全体図である。
【００１４】
本発明の第一の実施の形態に係るリンク本体１０の上面（図１（ａ）が表す面）、すなわちアタッチ取付用孔２２が設けられるアタッチ取付面２６には、凸部２４が形成される。このように、アタッチ取付用孔２２が設けられるアタッチ取付面２６に凸部２４を設け凸形状とすることにより、リンク本体１０が水面上に出てアタッチ取付面２６が空気中で上向きになった時にリンク本体１０に水が溜まることがなくなるため、下水処理施設の水が有する酸性物質が蒸発して濃縮され強酸化することによるリンク本体の侵食、破断を防止することができる。
【００１５】
図２は、本発明の第二の実施の形態に係るリンク本体３０の全体図である。
【００１６】
本発明の第二の実施の形態においても、リンク本体３０の上面（図２（ａ）が表す面）、すなわちアタッチ取付用孔４２が設けられるアタッチ取付面４６には、凸部４４が形成される。このように、アタッチ取付用孔４２が設けられるアタッチ取付面４６に凸部４４を設け凸形状とすることにより、リンク本体３０が水面上に出てアタッチ取付面４２が空気中で上向きになった時にリンク本体３０に水が溜まることがなくなるため、下水処理施設の水が有する酸性物質が蒸発して濃縮され強酸化することによるリンク本体の侵食、破断を防止することができる。
【００１７】
図３は、本発明の第三の実施の形態に係るリンク本体６０の全体図である。
【００１８】
本発明の第三の実施の形態に係るリンク本体６０では、図３のように、凸部７４をアタッチ取付面７６全体になだらかに形成される。
【００１９】
凸部７４をアタッチ取付面７６全体になだらかに形成することによっても、リンク本体６０が水面上に出てアタッチ取付面７６が空気中で上向きになった時にリンク本体６０に水が溜まることがなくなるため、下水処理施設の水が有する酸性物質が蒸発して濃縮され強酸化することによるリンク本体の侵食、破断を防止することができる。
【００２０】
以上、本発明の実施の形態を説明したが、本発明の技術的範囲は、前述した実施の形態に左右されない。当業者であれば、特許請求の範囲に記載された技術的思想の範疇内において各種の変更例または修正例に想到しうることは明らかであり、それらについても当然に本発明の技術的範囲に属するものと了解される。
【００２１】
例えば、凸形状は、リンク本体のアタッチ取付面の図１（ａ），図２（ａ）中の上下方向の中央が高くなるように形成し、図１（ａ），図２（ａ）中の上下方向端部が低くなるように形成し、図１（ａ），図２（ａ）の左右方向に尾根を形成するように形成してもよい。また、凸形状は曲面で構成されていても構わない。
【符号の説明】
【００２２】
１０  リンク本体
１２  バレル部
１４  ピンリンク部
１６  ピン挿入孔
１８  ピン挿入孔
２０  ノッチ部
２２  アタッチメント取付用孔
２４  凸部
２６  アタッチ取付面
３０  リンク本体
３２  バレル部
３４  ピンリンク部
３６  ピン挿入孔
３８  ピン挿入孔
４０  ノッチ部
４２  アタッチメント取付用孔
４４  凸部
４６  アタッチ取付面
６０  リンク本体
６２  バレル部
６４  ピンリンク部
６６  ピン挿入孔
６８  ピン挿入孔
７０  ノッチ部
７２  アタッチメント取付用孔
７４  凸部
７６  アタッチ取付面
８０  リンク本体
８２  バレル部
８４  ピンリンク部
８６  ピン挿入孔
８８  ピン挿入孔
９０  ノッチ部
９２  アタッチメント取付用孔
９４  窪み部
９６  アタッチ取付面
【図１】
2015174008.tif 000003
【図２】
2015174008.tif 000004
【図３】
2015174008.tif 000005
【図４】
2015174008.tif 000006